(57)【要約】【課題】  捕獲ケージ内に入った動物を落下式扉の落下による入口の遮断によって捕獲する箱罠として、捕獲ケージ内に子供や老人等が入り込み、誤って落下式扉が作動しても、容易に捕獲ケージ外へ脱出でき、閉じ込め事故を回避し得るものを提供する。【解決手段】  捕獲ケージ１の天井部１ａに緊急脱出用扉３Ａを設ける。【選択図】                図１
0003116032.tif 000002
【実用新案登録請求の範囲】
【請求項１】
箱型の捕獲ケージの入口に落下式扉を備え、該捕獲ケージ内に入った動物を落下式扉の落下による入口の遮断によって捕獲するようにした箱罠において、
前記捕獲ケージの天井部に緊急脱出用扉が設けられていることを特徴とする箱罠。
【請求項２】
前記緊急脱出用扉がヒンジを介して前記捕獲ケージの本体に枢着されてなる請求項１記載の箱罠。
【請求項３】
前記緊急脱出用扉に前記捕獲ケージの本体に対して係脱するドアノブ型のロック具が設けられてなる請求項１又は２に記載の箱罠。
【請求項４】
前記緊急脱出用扉に前記捕獲ケージの本体に対して係脱する閂型のロック具が設けられてなる請求項１又は２に記載の箱罠。
【請求項５】
前記捕獲ケージの天井部の高さが８０〜１２０ｃｍの範囲にある請求項１〜４のいずれかに記載の箱罠。
【考案の詳細な説明】
【技術分野】
【０００１】
本考案は、イノシシやシカ等の大型の野性動物を捕獲する箱罠に関する。
【背景技術】
【０００２】
従来より、イノシシやシカ等を捕獲するのに箱罠が汎用されている。一般的に、この箱罠は、横長箱型の捕獲ケージの一端又は両端の入口に落下式扉を設けたものであり、捕獲ケージ内に入った動物が落下式扉の作動部分に触れた際、該落下式扉の係止が外れ、落下した扉で入口を遮断して動物を捕獲ケージ内に閉じ込めるようになっている。
【０００３】
ところが、このような箱罠は、山間部に限らず、動物が出没して害をなす人里近辺に設置されることも多いため、関係者が餌の取替えや点検等の作業で中に入る以外に、往々にして子供が入って遊んだり、無関係の者が興味本位で入ってあちこち触れ回ったりすることがあり、その際に誤って落下式扉の作動部分に触れて入口が遮断されると、その扉が動物の脱走防止のために重かったり、落下状態でロックされていたりして開けられず、発見されるまで長時間にわたって捕獲ケージ内に閉じ込められてしまうことがあった。
【考案の開示】
【考案が解決しようとする課題】
【０００４】
本考案は、上述の状況に鑑み、箱罠として、捕獲ケージ内に人が入った状態で誤って落下式扉が作動しても、容易に捕獲ケージ外へ脱出でき、もって閉じ込め事故を回避し得るものを提供することを目的としている。
【課題を解決するための手段】
【０００５】
上記目的を達成するために、請求項１の考案は、図面の参照符号を付して示せば、箱型の捕獲ケージ１の入口１０に落下式扉２を備え、該捕獲ケージ１内に入った動物Ａを落下式扉２の落下による入口１０の遮断によって捕獲するようにした箱罠Ｂ１，Ｂ２において、前記捕獲ケージ１の天井部１ａに緊急脱出用扉３Ａ，３Ｂが設けられていることを特徴としている。
【０００６】
請求項２の考案は、上記請求項１の箱罠Ｂ１，Ｂ２において、緊急脱出用扉３Ａ，３Ｂがヒンジ３３を介して捕獲ケージ１の本体に枢着されてなるものとしている。
【０００７】
請求項３の考案は、上記請求項１又は２の箱罠Ｂ１において、緊急脱出用扉３Ａに捕獲ケージ１の本体に対して係脱するドアノブ型のロック具４を備え、そのノブ４１が該扉の少なくとも内面側に突設されてなる構成としている。
【０００８】
請求項４の考案は、上記請求項１又は２の箱罠Ｂ２において、緊急脱出用扉３Ｂに捕獲ケージ１の本体に対して係脱する閂型のロック具６が設けられてなる構成としている。
【０００９】
請求項５の考案は、上記請求項１〜４のいずれかの箱罠Ｂ１，Ｂ２において、捕獲ケージ１の天井部１ａの高さが８０〜１２０ｃｍの範囲にあるものとしている。
【考案の効果】
【００１０】
請求項１の考案に係る箱罠によれば、捕獲ケージの天井部に緊急脱出用扉が設けられていることから、捕獲ケージ内に人が入り込んだ状態で誤って落下式扉が作動しても、緊急脱出用扉から脱出できるため、長時間にわたって閉じ込められてしまうような危険性はない。
【００１１】
請求項２の考案によれば、緊急脱出用扉がヒンジを介して捕獲ケージの本体に枢着されているから、その扉開閉の操作が容易であり、子供や老人、女性のような非力な者でも該扉から簡単に脱出できる。
【００１２】
請求項３の考案によれば、緊急脱出用扉に設けたロック具がドアノブ型であるから、そのノブの形によって閉じ込められた者が緊急脱出用扉の存在に気付き易い上、ノブの回転によるロックの係脱であるため、人間にとっては容易に確実に操作できるが、例えばレバー型のように捕獲された動物が触れて偶然にロック解除されることはなく、該緊急脱出用扉から捕獲動物が逃げる懸念はない。
【００１３】
請求項４の考案によれば、緊急脱出用扉に設けたロック具が閂型であるから、構造的に簡素で安価に製作できると共に、緊急脱出用扉に対する取り付けも容易である。
【００１４】
請求項５の考案によれば、捕獲ケージの天井部が適当な高さであるから、子供や老人でも緊急脱出用扉から容易に脱出できる。
【考案を実施するための最良の形態】
【００１５】
以下、本考案に係る箱罠の実施形態について、図面を参照して具体的に説明する。図１〜図３は第一実施形態の箱罠Ｂ１、図４及び図５は第二実施形態の箱罠Ｂ２をそれぞれ示す。なお、第一及び第二実施形態で共通する部分については、同一符号を付している。
【００１６】
第一実施形態の箱罠Ｂ１は、横長箱形の捕獲ケージ１の両端に入口１０を有しており、各入口１０には落下式扉２を昇降自在に嵌装した高い門型のガイド枠１１が設けてある。そして、各落下式扉２は、図示省略した係止機構によって常時はガイド枠１１の上部に保持されて入口１０を開放しているが、捕獲ケージ１に入ったイノシシ等の動物Ａが図示省略した作動部分に接触した際に、係止が外れて略同時に落下して両入口１０，１０を遮断するようになっている。
【００１７】
捕獲ケージ１の天井部１ａ及び左右側面部１ｂ，１ｂと、両落下式扉２，２とは、矩形フレーム１２内に鋼棒等からなる縦横の金属棒材１３…，１４…を張設して面格子を構成している。そして、この捕獲ケージ１の天井部１ａには、緊急脱出用扉３Ａが設けてある。
【００１８】
この緊急脱出用扉３Ａは、矩形周枠３０の内側に縦横の金属棒材３１…，３２…を張設して面格子を構成しており、図３に示すように、ケージ中央側の後辺部３０ｂに一体形成したヒンジ３３，３３により、捕獲ケージ１の面格子の金属棒材１２に枢着すると共に、前辺部３０ａに設けた突縁部３４により、捕獲ケージ１の矩形フレーム１２の上辺部１２ａに掛止され、もって全体が捕獲ケージ１の天井部１ａと略面一になった状態で保持されるようになっている。
【００１９】
また、この緊急脱出用扉３Ａの前辺部３０ａの中央位置には、建物の一般的な出入口扉に使用されるものと同様のドアノブ型のロック具４が取り付けられており、常時はそのロック片４０が内臓するばねの付勢により、捕獲ケージ１の矩形フレーム１１の上辺部１１ａ内面側に設けた係止孔５に対して係合しているが、該前辺部３０ａの内外両面側に突設されたノブ４１，４２のいずれか一方の捻回操作により、該ロック片４０が係止孔５から離脱する。従って、緊急脱出用扉３Ａは、ロック片４０の離脱状態でヒンジ３３，３３を中心として上方へ回動させることにより、図３の仮想線で示す開放状態になる。
【００２０】
上記構成の箱罠Ｂ１を仕掛ける際は、図１に示すように、両落下式扉２，２をガイド枠１１の上部に保持して両入口１０，１０を開放状態とし、捕獲ケージ１の内部にはイノシシ等の捕獲対象の動物Ａが好む餌を配置して入り込みを誘う。そして、捕獲ケージ１に入った動物が図示省略した作動部分に接触すれば、両落下式扉２，２が略同時に落下して両入口１０，１０を遮断し、もって動物Ａを捕獲ケージ１内に閉じ込めて捕獲する。
【００２１】
しかして、例えば、子供が開放した入口１０から捕獲ケージ１の中に入って遊んでいるうちに作動部分に接触したり、あるいは非力な老人や女性が餌の取替え等の捕獲ケージ１内での作業中に誤って作動部分に接触したりして、落下式扉２，２が落下して入口１０，１０を遮断されて閉じ込められても、緊急脱出用扉３Ａから容易に脱出できる。すなわち、捕獲ケージ１の内側から緊急脱出用扉３Ａの内側のノブ４１を捻回すれば、ロック片４０が捕獲ケージ１側の係止孔５から離脱するから、そのまま該扉３Ａを押し上げて図３の仮想線の如く開放させ、もって捕獲ケージ１の天井部１ａに開いた開口部分から容易に外へ脱出できる。
【００２２】
また、緊急脱出用扉３Ａのロック具４はドアノブ型であるから、捕獲ケージ１内に閉じ込められた者がその内側のノブ４１を視認することで、容易に緊急脱出用扉３の存在に気付くと共に、建物における通常のドアと同様にノブ４１の捻回でロック解除し、且つ上方への回動で押し開く形であるため、誰でも簡単に開放操作できる。また、このドアノブ型のロック具４ではロック解除のためにノブ４１を捻回する必要があるため、捕獲された動物によって偶然にロック解除される可能性は皆無であり、従って該緊急脱出用扉３Ａから動物Ａが逃げ出す恐れはない。
【００２３】
更に、この実施形態では緊急脱出用扉３Ａの外側にもノブ４２を有するから、閉じ込められた者が幼児であったり痴呆症等でノブ４１を操作できない場合でも、他者が閉じ込めに気付いた場合、重い落下式扉２を開く代わりに、外部から緊急脱出用扉３Ａを開いて容易に救出できる。
【００２４】
第二実施形態の箱罠Ｂ２では、捕獲ケージ１の本体は前記第一実施形態と同様であるが、図４及び図５に示すように、その天井部１ａに矩形の金属板体３５からなる緊急脱出用扉３Ｂが設けてある。この緊急脱出用扉３Ｂは、前記第一実施形態の緊急脱出用扉３Ａと同様に、後縁に一体形成したヒンジ３３，３３により、捕獲ケージ１の金属棒材１２に枢着すると共に、前縁に設けた突縁部３４により、矩形フレーム１２の上辺部１２ａに掛止され、全体が捕獲ケージ１の天井部１ａと略面一になった状態で保持される。
【００２５】
この緊急脱出用扉３Ｂの下面側の中央位置には、金属板体３５にねじ止めされた前後一対のＵ字形保持金具６１，６１を介して閂型のロック具６が軸方向移動自在に取り付けられている。そして、このロック具６の前進位置では先端部６ａが捕獲ケージ１の矩形フレーム１１の上辺部１１ａ内面側に設けた係止孔７に嵌入し、該緊急脱出用扉３Ｂを開放不能にロックする一方、後退位置では図５の仮想線の如く先端部６ａが係止孔７から抜出し、もってロック解除された該緊急脱出用扉３Ｂをヒンジ３３，３３を中心として上方へ回動させて開放できる。
【００２６】
また、このロック具６は、中間部から上下両側へ分岐した把手６２，６３を有しており、上側の把手６２が金属板体３５に設けた前後方向の長孔３６から上方外部へ突出する一方、下側の把手６３が捕獲ケージ１内で下向きになっており、長孔３６によって前後移動範囲が規制されている。
【００２７】
このような第二実施形態の箱罠Ｂ２は、前記第一実施形態の箱罠Ｂ１と同様に両落下式扉２，２をガイド枠１１の上部に保持して仕掛けるが、捕獲ケージ１内に人が入った状態で誤って落下式扉２，２が落下して閉じ込められても、緊急脱出用扉３Ｂから容易に脱出できる。すなわち、捕獲ケージ１の内側から緊急脱出用扉３Ｂのロック具６の把手６３をを持って後退方向へ移動させれば、その先端部６ａが捕獲ケージ１側の係止孔７から離脱するから、そのまま該扉３Ｂを押し上げて図５の仮想線の如く開放させ、もって捕獲ケージ１の天井部１ａに開いた開口部分から容易に外へ脱出できる。
【００２８】
また、このロック具６の把手６２，６３を目立つように黄色や赤等に着色したり、緊急脱出用扉３Ｂの下面に「脱出口」等と大きく表示しておけば、捕獲ケージ１内に閉じ込められた者が緊急脱出用扉３Ｂの存在に容易に気付くと共に、該ロック具６は閂型であるために誰でも簡単に開放操作できる。また、この緊急脱出用扉３Ｂにおいても、ロック具６の把手６２が外側にも突出しているから、閉じ込められた者が幼児であったり痴呆症等で該扉３Ｂを自分では開放操作できない場合でも、他者が閉じ込めに気付いた場合、重い落下式扉２を開く代わりに、外部から当該扉３Ｂを開いて容易に救出できる。
【００２９】
なお、本考案においては、捕獲ケージの本体に対して緊急脱出用扉を閉止状態に固定するロック具として、前記第一及び第二実施形態で例示したドアノブ型や閂型以外の種々形式のものを採用できる。しかして、前記第二実施形態で採用した閂型のロック具６は、第一実施形態で採用したドアノブ型のロック具４に比較し、構造的に簡素であるから、安価に製作あるいは入手できると共に、緊急脱出用扉に対する取り付けを容易に行えるという利点がある。
【００３０】
捕獲ケージ１の天井部１ａの高さは、８０〜１２０ｃｍ程度が好ましく、低過ぎてはイノシシ等の大型の野性動物の捕獲に適さず、高過ぎては子供や老人にとって緊急脱出用扉３からの脱出が難しくなる。また、緊急脱出用扉３Ａ，３Ｂは大人一人が出入りできる程度の大きさであればよく、通常は縦横４０〜６０ｃｍ程度とするのがよい。
【００３１】
落下式扉２をガイド枠１１の上部に保持するための係止機構、ならびに動物Ａが触れた際に該落下式扉２を落下させるための作動部分の構造については、従来より箱罠に採用されている種々の方式・構造を利用できる。例えば、捕獲ケージ１内に配置したロッドやロープ、ワイヤー等を動物Ａが足や身体で引っ掛けたり、あるいは吊り下げた餌に動物Ａが食いついて引っ張ることにより、落下式扉２の係止が外れるようにすればよい。
【００３２】
捕獲ケージ１の底面部については、前記実施形態ではを開放状態としているが、天井部１ａや両側面部１ｂ，１ｂと同様の面格子構造としてもよい。また、本考案は片側のみに入口を有する捕獲ケージ１にも同様に適用可能である。更に、本考案においては、捕獲ケージ１のフレーム構造、天井部１ａにおける緊急脱出用扉の取付位置、その取付部分のフレーム構造等についても、例示以外に種々設定可能である。
【図面の簡単な説明】
【００３３】
【図１】本考案の第一実施形態に係る箱罠全体を示す一部破断斜視図である。
【図２】同箱罠の平面図である。
【図３】同箱罠の緊急脱出用扉部分の縦断側面図である。
【図４】本考案の第二実施形態に係る箱罠の緊急脱出用扉部分の下面図である。
【図５】同緊急脱出用扉部分の縦断側面図である。
【符号の説明】
【００３４】
１          捕獲ケージ
１ａ        天井部
１０        入口
２          落下式扉
３Ａ，３Ｂ  緊急脱出用扉
３３        ヒンジ
４          ドアノブ型のロック具
４１，４２  ノブ
６          閂型のロック具
Ａ          動物
Ｂ１，Ｂ２  箱罠
【図１】
0003116032.tif 000003
【図２】
0003116032.tif 000004
【図３】
0003116032.tif 000005
【図４】
0003116032.tif 000006
【図５】
0003116032.tif 000007